(57)【特許請求の範囲】
【請求項１】
長手方向に沿って筒状に延びた内部空間を画定する内周部と、前記長手方向の一端部に配置され、前記内部空間の端面を画定する第１壁部と、前記長手方向の他端部に配置され、前記内部空間の端面を画定する第２壁部と、前記内部空間に連通するように開口され、現像剤が排出される現像剤排出口と、を備える容器本体と、
前記内部空間において前記長手方向に沿って延設され、前記第１壁部および前記第２壁部に軸支されたシャフトと、
前記容器本体の前記内周部に摺動可能に密接して配置された外周部と、前記容器本体の前記内周部とともに前記現像剤が収容される収容空間を画定する搬送面と、前記シャフトが挿通される軸受部と、を備え、前記収容空間に収容された前記現像剤を前記現像剤排出口に向かって搬送しながら、前記現像剤排出口から離間した初期位置から、前記初期位置よりも前記現像剤排出口の近傍の最終位置まで、前記内部空間内を前記シャフトに沿って移動する移動壁と、
前記現像剤排出口に対向して配置され、前記シャフトの軸線回りに回転され、前記収容空間内の前記現像剤を攪拌する攪拌部材と、
を有し、
前記攪拌部材は、
前記シャフトに軸支された回転板と、
弾性変形可能な先端部を含み、前記回転板から前記移動壁に向かって突設された攪拌片と、を備え、
前記移動壁は、前記搬送面から前記攪拌部材に向かって突設された突起部を備え、
前記移動壁が前記最終位置に至ると、前記攪拌部材の前記先端部が前記移動壁の前記搬送面および前記突起部に順次当接しながら、前記攪拌部材が前記軸線回りに回転し、
前記攪拌片は、前記攪拌部材の回転における径方向に沿って延びるように長手形状を備え、
前記突起部は、前記搬送面において前記径方向に沿って延びるように長手形状を備えており、
前記移動壁は、水平方向に沿って移動し、
前記現像剤排出口は、前記容器本体の底部に開口され、
前記突起部は、前記搬送面において、前記軸受部から前記容器本体の下端部に向かって鉛直方向に延びていることを特徴とする現像剤収容容器。
【請求項２】
前記攪拌片は、前記攪拌部材の回転における周方向に間隔をおいて複数配置されていることを特徴とする請求項１に記載の現像剤収容容器。
【請求項３】
請求項１または２に記載の現像剤収容容器と、
周面に静電潜像が形成されるとともに、現像剤像を担持する像担持体と、
前記現像剤収容容器から現像剤が補給され、前記像担持体に前記現像剤を供給する現像装置と、
を有することを特徴とする画像形成装置。
【発明の詳細な説明】
【技術分野】
【０００１】
本発明は、内部に現像剤を収容する現像剤収容容器、およびこれを備えた画像形成装置に関するものである。
【背景技術】
【０００２】
従来、内部に現像剤を収容する現像剤収容容器として、特許文献１および２に記載されたようなトナーコンテナが知られている。当該トナーコンテナは、トナー排出口が開口された容器本体と、容器本体内を移動する壁部とを備える。壁部が移動することで、トナーの収容空間が縮小される。
【先行技術文献】
【特許文献】
【０００３】
【特許文献１】特開２００１−９２２３０号公報
【特許文献２】特開２０１２−１３７８６号公報
【発明の概要】
【発明が解決しようとする課題】
【０００４】
特許文献１および２に記載されたトナーコンテナでは、壁部がトナーを押圧しながら移動するため、壁部の壁面にトナーが層状に付着しやすい。このため、壁面に付着したトナーが使用されずに残留するという課題があった。
【０００５】
本発明は、上記のような課題を解決するためになされたものであり、使用終了時に容器本体に残留する現像剤の量を減少させた現像剤収容容器、およびこれを備える画像形成装置を提供することを目的とする。
【課題を解決するための手段】
【０００６】
本発明の一局面に係る現像剤収容容器は、長手方向に沿って筒状に延びた内部空間を画定する内周部と、前記長手方向の一端部に配置され、前記内部空間の端面を画定する第１壁部と、前記長手方向の他端部に配置され、前記内部空間の端面を画定する第２壁部と、前記内部空間に連通するように開口され、現像剤が排出される現像剤排出口と、を備える容器本体と、前記内部空間において前記長手方向に沿って延設され、前記第１壁部および前記第２壁部に軸支されたシャフトと、前記容器本体の前記内周部に摺動可能に密接して配置された外周部と、前記容器本体の前記内周部とともに前記現像剤が収容される収容空間を画定する搬送面と、前記シャフトが挿通される軸受部と、を備え、前記収容空間に収容された前記現像剤を前記現像剤排出口に向かって搬送しながら、前記現像剤排出口から離間した初期位置から、前記初期位置よりも前記現像剤排出口の近傍の最終位置まで、前記内部空間内を前記シャフトに沿って移動する移動壁と、前記現像剤排出口に対向して配置され、前記シャフトの軸線回りに回転され、前記収容空間内の前記現像剤を攪拌する攪拌部材と、を有し、前記攪拌部材は、前記シャフトに軸支された回転板と、弾性変形可能な先端部を含み、前記回転板から前記移動壁に向かって突設された撹拌片と、を備え、前記移動壁が前記最終位置に至ると、前記攪拌部材の前記先端部が前記移動壁の前記搬送面を摺擦しながら、前記攪拌部材が前記軸線回りに回転することを特徴とする。
【０００７】
本構成によれば、本構成によれば、移動壁の外周部は、容器本体の内周部に密接して配置される。そして、移動壁がシャフトに沿って移動することで、収容空間の現像剤が現像剤排出口まで搬送される。この際、移動壁が現像剤排出口に至るまでの間、収容空間が徐々に縮小される。この結果、使用終了時に、容器本体の収容空間に残留する現像剤の量が減少される。更に、現像剤排出口周辺の現像剤は攪拌部材によって攪拌される。このため、現像剤排出口から安定して現像剤を排出することができる。また、移動壁が最終位置に至ると、攪拌部材の先端部が移動壁の搬送面に当接しながら、攪拌部材が回転する。この結果、移動壁の搬送面に付着した現像剤が攪拌部材の先端部によって掻き落とされる。したがって、現像剤収容容器の使用終了時に、容器本体の収容空間に残留する現像剤の量が減少され、最後まで有効に現像剤を使用することができる。
【０００８】
上記の構成において、前記移動壁は、前記搬送面から前記攪拌部材に向かって突設された突起部を備え、前記移動壁が前記最終位置に至ると、前記攪拌部材の前記先端部が前記移動壁の前記搬送面および前記突起部に順次当接しながら、前記攪拌部材が前記軸線回りに回転することが望ましい。
【０００９】
本構成によれば、攪拌部材の先端部が移動壁の突起部に当接することで、先端部に付着した現像剤が払い落とされる。したがって、容器本体の収容空間に残留する現像剤の量が更に減少される。
【００１０】
上記の構成において、前記撹拌片は、前記攪拌部材の回転における径方向に沿って延びるように長手形状を備えていることが望ましい。
【００１１】
本構成によれば、攪拌部材の先端部が、移動壁の搬送面に接触する面積を増大することができる。
【００１２】
上記の構成において、前記撹拌片は、前記攪拌部材の回転における径方向に沿って延びるように長手形状を備え、前記突起部は、前記搬送面において前記径方向に沿って延びるように長手形状を備えていることが望ましい。
【００１３】
本構成によれば、長手形状を備えた先端部が、同様に長手形状を備える突起部に接触することによって、先端部に付着した現像剤が安定して払い落とされる。
【００１４】
上記の構成において、前記移動壁は、水平方向に沿って移動し、前記現像剤開口部は、前記容器本体の底部に開口され、前記突起部は、前記搬送面において、前記軸受部から前記容器本体の下端部に向かって鉛直方向に延びていることが望ましい。
【００１５】
本構成によれば、攪拌部材の先端部から払い落とされた現像剤が収容空間内で舞い上がることが抑止され、現像剤が現像剤排出口から速やかに排出可能とされる。
【００１６】
上記の構成において、前記攪拌片は、前記攪拌部材の回転における周方向に間隔をおいて複数配置されていることが望ましい。
【００１７】
本構成によれば、収容空間に収容された現像剤が、複数の攪拌片によって安定して撹拌される。また、移動壁の搬送面に付着した現像剤が、複数の攪拌片によって安定して掻き落とされる。
【００１８】
本発明の他の局面に係る画像形成装置は、上記の何れか１に記載の現像剤収容容器と、周面に静電潜像が形成されるとともに、現像剤像を担持する像担持体と、前記現像剤収容容器から現像剤が補給され、前記像担持体に前記現像剤を供給する現像装置と、を有することを特徴とする。
【００１９】
本構成によれば、現像剤収容容器の使用終了時に、容器本体の収容空間に残留する現像剤の量が減少され、最後まで有効に現像剤を使用することができる。この結果、像担持体上に安定して現像剤像を形成することができる。
【発明の効果】
【００２０】
本発明によれば、使用終了時に容器本体に残留する現像剤の量を減少させた現像剤収容容器、およびこれを備える画像形成装置が提供される。
【図面の簡単な説明】
【００２１】
【図１】本発明の一実施形態に係る画像形成装置の一部が開放された状態の斜視図である。
【図２】本発明の一実施形態に係る画像形成装置の内部構造を示す模式的な断面図である。
【図３】本発明の一実施形態に係る現像剤収容容器の（Ａ）平面図、（Ｂ）正面図および（Ｃ）側面図である。
【図４】本発明の一実施形態に係る現像剤収容容器の移動壁の斜視図（Ａ）、（Ｂ）である。
【図５】本発明の一実施形態に係る現像剤収容容器の断面図である。
【図６】本発明の一実施形態に係る現像剤収容容器において移動壁が移動する様子を示す断面図（Ａ）、（Ｂ）および（Ｃ）である。
【図７】本発明の一実施形態に係る現像剤収容容器の攪拌部材の（Ａ）正面図および（Ｂ）側面図である。
【図８】本発明の変形実施形態に係る現像剤収容容器の攪拌部材の（Ａ）正面図および（Ｂ）側面図である。
【図９】本発明の一実施形態に係る現像剤収容容器の移動壁の（Ａ）側面図および（Ｂ）底面図である。
【発明を実施するための形態】
【００２２】
以下、図面を参照しつつ、本発明の一実施形態について説明する。図１は、本発明の一実施形態に係るプリンター１００（画像形成装置）の斜視図である。図２は、図１に示されるプリンター１００の内部構造を概略的に示す断面図である。図１および図２に示される画像形成装置としてのプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００２３】
プリンター１００は、シートＳに画像を形成するための様々な装置を収容する筐体１０１を備える。筐体１０１は、筐体１０１の上面を規定する上壁１０２と、筐体１０１の底面を規定する底壁１０３（図２）と、上壁１０２と底壁１０３との間の本体後壁１０５（図２）と、本体後壁１０５の前方に位置する本体前壁１０４と、を含む。筐体１０１は、各種の装置が配置される本体内部空間１０７を備える。筐体１０１の本体内部空間１０７には、シートＳが所定の搬送方向に搬送されるシート搬送路ＰＰが延設されている。また、プリンター１００は、筐体１０１に対して開閉自在に装着される開閉カバー１００Ｃ（図１）を備える。
【００２４】
開閉カバー１００Ｃは、本体前壁１０４の上方部分である前壁上方部１０４Ｂと、上壁１０２の前方部分である上壁前方部１０２Ｂとから構成される。また、開閉カバー１００Ｃは、左右方向の両端部に配置された一対のアーム部１０８に配置される不図示のヒンジ軸を支点として、上下方向に開閉可能とされる。開閉カバー１００Ｃの開状態において、本体内部空間１０７の上方が外部に開放される。一方、開閉カバー１００Ｃの閉状態において、本体内部空間１０７の上方が、閉塞される。
【００２５】
上壁１０２の中央部には、排紙部１０２Ａが配置される。排紙部１０２Ａは、上壁１０２の前方部分から後方部分にかけて、下方に傾斜した傾斜面からなる。排紙部１０２Ａには、後記の画像形成部１２０において、画像が形成されたシートＳが排出される。また、本体前壁１０４の上下方向の中央部には、手差しトレイ１０４Ａが配置される。手差トレイ１０４Ａは、下端を支点として、上下に回動可能である（図２の矢印ＤＴ）。
【００２６】
図２を参照して、プリンター１００は、カセット１１０と、ピックアップローラー１１２と、第１給紙ローラー１１３と、第２給紙ローラー１１４と、搬送ローラー１１５と、レジストローラー対１１６と、画像形成部１２０と、定着装置１３０とを備える。
【００２７】
カセット１１０は、内部にシートＳを収容する。カセット１１０は、リフト板１１１を備える。リフト板１１１は、シートＳの先頭縁を押し上げるように傾斜する。カセット１１０は、筐体１０１に対して、前方に引き出し可能とされる。ピックアップローラー１１２は、リフト板１１１によって押し上げられたシートＳの先頭縁上に配置される。ピックアップローラー１１２が回転すると、シートＳはカセット１１０から引き出される。
【００２８】
第１給紙ローラー１１３は、ピックアップローラー１１２の下流に配設され、シートＳを更に下流に送り出す。第２給紙ローラー１１４は、手差しトレイ１０４Ａの支点の内側（後側）に配設され、手差トレイ１０４Ａ上のシートＳを筐体１０１内に引き込む。搬送ローラー１１５は、第１給紙ローラー１１３のシート搬送方向（以下、単に搬送方向ともいう）の下流（以下、単に下流ともいう）に配設される。搬送ローラー１１５は、第１給紙ローラー１１３、第２給紙ローラー１１４によって送り出されたシートＳを更に下流へ搬送する。
【００２９】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３０】
画像形成部１２０は、感光体ドラム１２１（像担持体）と、帯電器１２２と、露光装置１２３と、現像装置２０と、トナーコンテナ３０（現像剤収容容器）と、転写ローラー１２６と、クリーニング装置１２７とを備える。
【００３１】
感光体ドラム１２１は、円筒形状を有する。感光体ドラム１２１は、静電潜像が形成される周面を有するとともに、前記周面に該静電潜像に応じたトナー画像（現像剤像）を担持する。帯電器１２２は、所定の電圧が印加され、感光体ドラム１２１の周面を略一様に帯電させる。
【００３２】
露光装置１２３は、帯電器１２２によって帯電された感光体ドラム１２１の周面に、レーザー光を照射する。該レーザー光は、プリンター１００に通信可能に接続されたパーソナルコンピューターなどの外部装置（図示せず）から出力された画像データに従って、照射される。この結果、感光体ドラム１２１の周面には、画像データに対応する静電潜像が形成される。
【００３３】
現像装置２０は、静電潜像が形成された感光体ドラム１２１の周面にトナーを供給する。トナーコンテナ３０は、内部に補給トナーを収容し、現像装置２０へトナーを補給する。トナーコンテナ３０は、筐体１０１の内部において現像装置２０に対して着脱自在に配設されている。現像装置２０がトナーを感光体ドラム１２１に供給すると、感光体ドラム１２１の周面に形成された静電潜像が現像（可視化）される。この結果、感光体ドラム１２１の周面に、トナー画像（現像剤像）が形成される。
【００３４】
転写ローラー１２６は、感光体ドラム１２１の下方においてシート搬送路ＰＰを挟んで感光体ドラム１２１に対向して配置される。転写ローラー１２６は、感光体ドラム１２１との間で転写ニップ部を形成し、トナー画像をシートＳに転写させる。クリーニング装置１２７は、シートＳへトナー画像が転写された後に、感光体ドラム１２１の周面に残るトナーを除去する。
【００３５】
定着装置１３０は、画像形成部１２０よりも搬送方向下流側に配置され、シートＳ上のトナー画像を定着させる。定着装置１３０は、シートＳ上のトナーを溶融させる加熱ローラー１３１と、シートＳを加熱ローラー１３１に密着させる圧力ローラー１３２と、を備える。
【００３６】
プリンター１００は、定着装置１３０の下流に配設された搬送ローラー対１３３と、搬送ローラー対１３３の下流に配設された排出ローラー対１３４と、を更に備える。シートＳは、搬送ローラー対１３３によって上方に搬送され、最終的に、排出ローラー対１３４によって、筐体１０１から排出される。筐体１０１から排出されたシートＳは、排紙部１０２Ａ上に積み重ねられる。
【００３７】
更に、プリンター１００は、送受信部１００Ｖ（図２）を備える。送受信部１００Ｖは、後記の記憶部３０Ｖにトナーコンテナ３０の各種情報を書き込むとともに、記憶部３０Ｖから前記情報を読み取る。送受信部１００Ｖには、ＲＦＩＤ（Radio  Frequency  Identification）技術が適用され、記憶部３０Ｖへの読み取りおよび書き込みが可能とされている。読み書きされるトナーコンテナ３０の各種情報には、トナーコンテナ３０の使用履歴、後記の移動壁３４の位置情報およびトナーの残量情報などが含まれる。
【００３８】
＜トナーコンテナの構造について＞
次に、図３乃至図５を参照して、本発明の一実施形態に係るトナーコンテナ３０（現像剤収容容器）について説明する。図３は、トナーコンテナ３０の（Ａ）平面図、（Ｂ）正面図および（Ｃ）側面図である。図４は、トナーコンテナ３０の移動壁３４の斜視図（Ａ）、（Ｂ）である。図５は、トナーコンテナ３０の断面図である。
【００３９】
トナーコンテナ３０は、略円筒体形状からなる。トナーコンテナ３０は、内部に補給トナー（現像剤）を収容する。図３乃至図５を参照して、トナーコンテナ３０は、コンテナ本体３１（容器本体）と、攪拌部材３２と、シャフト３３と、移動壁３４と、蓋部３７（第２壁部）と、回転ギア３８と、カバー３９と、を備える。
【００４０】
コンテナ本体３１は、略円筒体形状からなるトナーコンテナ３０の本体部分である。コンテナ本体３１は、内周部３１Ｋと、内部空間３１Ｈ（図５）と、を備える。内周部３１Ｋは、コンテナ本体３１の内周面であって、トナーコンテナ３０の長手方向（第１方向、図５の矢印ＤＡ方向）に沿って筒状に延びた内部空間３１Ｈを画定している。
【００４１】
図３および図５を参照して、コンテナ本体３１は、底部３１１と、天板３１２と、前壁３１３と、後壁３１４と、左壁３１５（第１壁部）と、フランジ部３１６と、を備える。底部３１１は、コンテナ本体３１の底部分であって、下方に向かって突出した半円筒形状からなる。前壁３１３および後壁３１４は、底部３１１の側端から上方に向かって立設された一対の側壁である。天板３１２は、底部３１１の上方に配置され内部空間３１Ｈの上方を覆う。左壁３１５は、底部３１１、前壁３１３、後壁３１４および天板３１２の左端側に連設され、コンテナ本体３１を塞ぐ壁部である。なお、内部空間３１Ｈは、底部３１１、天板３１２、前壁３１３、後壁３１４および左壁３１５に加え、後記の蓋部３７よって形成されている。また、内部空間３１Ｈのうち、左壁３１５と後記の移動壁３４との間の領域が、収容空間３１Ｓとされる（図５）。収容空間３１Ｓは、トナーコンテナ３０の内部において、トナーが収容される空間である。
【００４２】
なお、図５に示すように、コンテナ本体３１の右端側は開口されている。フランジ部３１６は、該開口部を形成するとともに、コンテナ本体３１の右端部の外径が拡大された領域である。フランジ部３１６には、蓋部３７が装着される。
【００４３】
また、コンテナ本体３１は、不図示のシャッターと、トナー排出口３１９（現像剤排出口）と、本体軸受部３１Ｊ（図５）と、を備える。シャッターは、コンテナ本体３１の左端部の外壁に配置される。シャッターは、左右方向に沿ってスライド移動可能とされる。シャッターは、トナー排出口３１９をコンテナ本体３１の外側から塞ぐ（封止する）とともに、トナー排出口３１９を外部に露出させる。
【００４４】
図５を参照して、本体軸受部３１Ｊは、左壁３１５に配置された軸受である。本体軸受部３１Ｊは、内部に軸穴３１Ｊ１を備える。軸穴３１Ｊ１は、シャフト３３を回転可能に支持する。
【００４５】
トナー排出口３１９は、内部空間３１Ｈ（収容空間３１Ｓ）に連通してコンテナ本体３１の底部３１１に開口されている開口である。図５に示すように、トナー排出口３１９は、コンテナ本体３１の内部空間３１Ｈの左端部において、長方形形状をもって開口されている。また、トナー排出口３１９は、コンテナ本体３１の円筒状の底部３１１の下端部よりも所定の高さだけ上方に配置されている。このトナー排出口３１９はシャフト３３よりも下方に位置する（図５参照）。収容空間３１Ｓに収容されたトナーはトナー排出口３１９から現像装置２０に向かって排出される。
【００４６】
攪拌部材３２（図５）は、収容空間３１Ｓの左端部において移動壁３４に対向するように左壁３１５に沿って配置されている。また、攪拌部材３２は、上下方向においてトナー排出口３１９に対向して配置されている。攪拌部材３２は、シャフト３３の左端部に固定され、シャフト３３の軸線回りにシャフト３３と一体的に回転する。攪拌部材３２は、コンテナ本体３１の下端部からトナー排出口３１９に向かう回転方向に回転する。攪拌部材３２は、収容空間３１Ｓ内において、トナー排出口３１９の周辺のトナーを攪拌する機能を備える。攪拌部材３２は、円板部材から複数の羽根部材が右方に向かって突出した形状からなる。なお、攪拌部材３２の構造については、後記で更に詳述する。
【００４７】
シャフト３３（図５）は、内部空間３１Ｈにおいて左右方向に延びるようにコンテナ本体３１および蓋部３７に回転可能に支持されている。シャフト３３は、第１シャフト端部３３１と、第２シャフト端部３３２と、雄螺旋部３３３と、移動壁停止部３３４と、を備える。
【００４８】
第１シャフト端部３３１は、シャフト３３の右端部である。第１シャフト端部３３１は、蓋部３７の蓋軸穴部３７Ｊに軸支されている。第２シャフト端部３３２は、シャフト３３の左端部である。第２シャフト端部３３２は、前述の本体軸受部３１Ｊ（図５）に軸支されている。雄螺旋部３３３は、内部空間３１Ｈにおいてシャフト３３の外周面に左右方向に沿って形成された螺旋状のねじ部（係合部）である。本実施形態では、雄螺旋部３３３は、図５に示すようにシャフト３３のうちフランジ部３１６が対向する領域からトナー排出口３１９の右端部に対向する領域まで配置されている。移動壁停止部３３４は、雄螺旋部３３３の左側に配置されている。移動壁停止部３３４は、シャフト３３のうち雄螺旋部３３３が配置されていない軸部分のみの領域である。移動壁停止部３３４は、トナー排出口３１９の上方に配置されている。
【００４９】
移動壁３４は、コンテナ本体３１の内部空間３１Ｈにおいて、左右方向に面し上下方向に延びる壁部である。移動壁３４は、収容空間３１Ｓの一方の端面（右端面）を画定する。なお、収容空間３１Ｓの他方の端面（左端面）は、左壁３１５および攪拌部材３２によって画定されている。また、移動壁３４は、トナーコンテナ３０の使用開始時から使用終了時までの間、収容空間３１Ｓのトナーをトナー排出口３１９に向かって搬送しながら、内部空間３１Ｈ内の右端側の初期位置から左端側の最終位置へシャフト３３に沿って水平方向に移動する。なお、本実施形態では、移動壁３４は、駆動部５２（図３（Ｂ））によって、シャフト３３に沿って左方向または右方向に移動可能とされている。
【００５０】
図４（Ａ）、（Ｂ）を参照して、移動壁３４は、搬送壁部３４０と、外周壁部３４１と、内壁シール３４２と、シャフトシール３４３と、補給孔キャップ３４４と、外周部３４Ｋと、を備える。
【００５１】
搬送壁部３４０は、コンテナ本体３１の内周部３１Ｋとともに収容空間３１Ｓを画定する壁部である。特に、搬送壁部３４０は、シャフト３３に垂直な搬送面３４０Ｓを備える。搬送面３４０Ｓは、移動壁３４の移動に伴って、収容空間３１Ｓ内のトナーを押圧しながら搬送する。搬送壁部３４０は、更に、軸受部３４０Ａと、トナー補給孔３４０Ｂと、円筒部３４０Ｃとを備える。軸受部３４０Ａは、搬送壁部３４０の略中央部に形成された軸受部である。軸受部３４０Ａは移動壁３４を保持しながら左右方向に沿って移動する。前述のシャフト３３は、この軸受部３４０Ａに挿通される。トナー補給孔３４０Ｂは、軸受部３４０Ａの上方において、左右方向に沿って搬送壁部３４０を貫通するように形成されている。移動壁３４がコンテナ本体３１に装着されると、トナー補給孔３４０Ｂは収容空間３１Ｓに連通する。トナーコンテナ３０が製造される際に、トナー補給孔３４０Ｂから収容空間３１Ｓに補給トナーが充填される。
【００５２】
円筒部３４０Ｃは、搬送壁部３４０のうち搬送面３４０Ｓとは反対側の面から右方向に向かって突設される円筒部分である。円筒部３４０Ｃは、軸受部３４０Ａの一部を形成する。円筒部３４０Ｃは、雌螺旋部３４０Ｄを備える。雌螺旋部３４０Ｄは、円筒部３４０Ｃの内周面から突設された螺旋状のねじ部（係合部）である。雌螺旋部３４０Ｄは、シャフト３３の雄螺旋部３３３と係合する（噛み合う）ことで、移動壁３４を左右方向に沿って移動させる機能を備える。
【００５３】
外周壁部３４１は、搬送壁部３４０の外周縁から収容空間３１Ｓとは反対側、すなわち、移動壁３４の移動方向上流側に向かって突設されている。外周壁部３４１は、コンテナ本体３１の内周部３１Ｋに対向して配置される。
【００５４】
内壁シール３４２は、外周壁部３４１の搬送壁部３４０側において、外周壁部３４１の周囲を覆うように配置されるシール部材である。内壁シール３４２は、コンテナ本体３１の内周部３１Ｋと移動壁３４との間で圧縮変形する。また、内壁シール３４２は、移動壁３４の外周部３４Ｋを形成する。外周部３４Ｋは、コンテナ本体３１の内周部３１Ｋに摺動可能に密接して配置される。内壁シール３４２によって、収容空間３１Ｓのトナーが、コンテナ本体３１の内周部３１Ｋと移動壁３４との間から、移動壁３４よりも移動方向上流側に流出することが防止される。
【００５５】
シャフトシール３４３は、軸受部３４０Ａにおいて雌螺旋部３４０Ｄよりも移動壁３４の移動方向先端側に配置されている（図５）。シャフトシール３４３は、移動壁３４の移動に伴って、シャフト３３の雄螺旋部３３３と接触する。この際、シャフトシール３４３は、雌螺旋部３４０Ｄよりも先に雄螺旋部３３３に接触し、雄螺旋部３３３に付着したトナーを清掃する。したがって、トナーが雄螺旋部３３３からほぼ除去された状態で、雄螺旋部３３３が雌螺旋部３４０Ｄに係合する。このため、雄螺旋部３３３と雌螺旋部３４０Ｄとの間でトナーが凝集することが抑止され、移動壁３４の移動が安定して実現される。また、シャフトシール３４３はリング形状を有するため、シャフト３３の周方向全体に亘ってシャフト３３に密着する。このため、収容空間３１Ｓのトナーが軸受部３４０Ａを通って移動壁３４よりも移動方向上流側に流出することが防止される。
【００５６】
補給孔キャップ３４４は、図４（Ｂ）に示すように、外周壁部３４１の内側を介してトナー補給孔３４０Ｂに装着され、トナー補給孔３４０Ｂを封止する。トナー補給孔３４０Ｂから補給トナーが収容空間３１Ｓに充填された後、補給孔キャップ３４４がトナー補給孔３４０Ｂに装着される。この結果、トナー補給孔３４０Ｂからトナーが漏れ出すことが防止される。
【００５７】
蓋部３７（図３（Ｂ）、図５）は、コンテナ本体３１のフランジ部３１６に固定され、コンテナ本体３１の開口部を封止する。この結果、蓋部３７は、コンテナ本体３１の一部となり、内部空間３１Ｈの右端面を画定する。蓋部３７は、蓋軸穴部３７Ｊ（図５）を備える。蓋軸穴部３７Ｊは、シャフト３３の第１シャフト端部３３１側を回転可能に軸支する。
【００５８】
回転ギア３８は、シャフト３３の蓋部３７側の第１シャフト端部３３１に固定されるギアである。第１シャフト端部３３１の先端部は軸方向と交差する断面視でＤ面形状を備え、回転ギア３８の中心部には、該Ｄ面形状に係合する不図示のＤ穴が開口されている。この結果、回転ギア３８は、シャフト３３とともに一体回転可能とされる。回転ギア３８は、現像装置２０に配置された駆動部５２に連結される。駆動部５２から回転駆動力が伝達されると、回転ギア３８は、シャフト３３を回転させ、移動壁３４を左右方向に移動させるとともに、攪拌部材３２を回転させる。
【００５９】
カバー３９は、トナーコンテナ３０の右端部に配置されるカバー部材である。図３（Ｃ）を参照して、カバー３９は、回転ギア３８の半円部分を覆う形状からなる。換言すれば、カバー３９が蓋部３７を介してコンテナ本体３１に固定されると、回転ギア３８の半円部分がトナーコンテナ３０の外部に露出する。コンテナ本体３１の内部空間３１Ｈに攪拌部材３２、シャフト３３および移動壁３４が配置された上で、コンテナ本体３１、蓋部３７、回転ギア３８およびカバー３９が複数のスクリュー４０（図３（Ｃ））によって一体的に固定される。
【００６０】
更に、トナーコンテナ３０は、トナーセンサー３１Ｔ（検知センサー）を備える（図３（Ｂ））。トナーセンサー３１Ｔは、コンテナ本体３１の底部３１１に配置されるセンサーである。トナーセンサー３１Ｔは、底部３１１の下端部に底部３１１の円筒面に沿って配置されている。また、トナーセンサー３１Ｔは、周方向においてトナー排出口３１９に隣接するように配置されている。なお、本実施形態では、上記のようにトナー排出口３１９が底部３１１の下端部よりも上方にずれた位置に配置されている。このため、トナーセンサー３１Ｔを底部３１１の下端部周辺に配置することが可能となる。
【００６１】
トナーセンサー３１Ｔは、透磁率センサーもしくは圧電素子からなるセンサーである。トナーセンサー３１Ｔが圧電素子からなる場合、トナーセンサー３１Ｔのセンサー部分は収容空間３１Ｓに露出している。トナーセンサー３１Ｔは、トナー排出口３１９の周辺のトナーの有無に応じて、後記の制御部５０に出力信号を発信する。詳しくは、トナーセンサー３１Ｔは、収容空間３１Ｓのトナーに押圧されることで、ＨＩＧＨ信号（＋５Ｖ）を出力する。また、トナーセンサー３１Ｔの直下にトナーが存在しない場合には、トナーセンサー３１ＴはＬＯＷ信号（０Ｖ）を出力する。トナーセンサー３１Ｔの出力信号は、制御部５０によって参照される。なお、トナーセンサー３１Ｔが透磁率センサーの場合、センサーが直接トナーに接触する必要がない。このため、他の実施形態において、トナーセンサー３１Ｔは、コンテナ本体３１の外壁に対向するようにプリンター１００の筐体１０１側に配置されてもよい。更に、トナーセンサー３１Ｔの配置は、底部３１１に限定されるものではない。他の実施形態において、トナーセンサーは、コンテナ本体３１の天板３１２、前壁３１３および後壁３１４のいずれかに配置されてもよく、また、いずれかの壁部に対向して筐体１０１側にされてもよい。
【００６２】
更に、トナーコンテナ３０は、記憶部３０Ｖを備える（図３（Ａ）、（Ｂ））。記憶部３０Ｖは、天板３１２に装着されている。記憶部３０Ｖは、ＲＦＩＤ技術に適用されるＲＦタグである。記憶部３０Ｖは、トナーコンテナ３０の使用履歴に関する履歴情報、移動壁３４の位置情報およびトナーの残量情報を記憶する。
【００６３】
＜攪拌部材の構造について＞
図６は、攪拌部材３２の正面図（Ａ）および側面図（Ｂ）である。なお、図６（Ｂ）は、攪拌部材３２を移動壁３４側から見た図に相当する。攪拌部材３２は、ディスク３２０（回転板）と、攪拌羽根３２１（攪拌片）と、を備える。ディスク３２０は、所定の厚さを備えた円板部材である。ディスク３２０は、ディスク軸穴３２０Ｊを備える。ディスク軸穴３２０Ｊには、シャフト３３の第２シャフト端部３３２が挿通、かつ、固定される。この結果、攪拌部材３２がシャフト３３に支持される。攪拌羽根３２１は、ディスク３２０から移動壁３４に向かって突設された突片である。攪拌羽根３２１は、攪拌部材３２の回転における周方向に間隔をおいて複数（本実施形態では、６つ）配置されている。そして、各攪拌羽根３２１は、攪拌部材３２の回転における径方向に沿って延びるように長手形状を備えている。この結果、図６（Ｂ）に示すように、複数の攪拌羽根３２１は、ディスク軸穴３２０Ｊを中心に点対称かつ放射状に延びている。
【００６４】
更に、各攪拌羽根３２１は、弾性部３２２を備える。弾性部３２２は、攪拌羽根３２１の先端部（図５の攪拌部材３２の右端部）であって、弾性変形可能なゴム部材からなる。なお、ディスク３２０および攪拌羽根３２１のうち弾性部３２２を除いた部分は、樹脂材料からなる。
【００６５】
＜トナーコンテナの機能について＞
前述のとおり、トナーコンテナ３０は、筐体１０１に備えられた現像装置２０に対して着脱可能とされる。図１を参照して、筐体１０１の開閉カバー１００Ｃが上方に開放されると、本体内部空間１０７の一部であるコンテナ収容部１０９が筐体１０１の外部に露出する。コンテナ収容部１０９は現像装置２０の上面部に形成されている。本実施形態では、トナーコンテナ３０はコンテナ収容部１０９に対して上方から装着される。この際、トナーコンテナ３０のカバー３９がコンテナ収容部１０９の右側部分に配置され、トナーコンテナ３０の左壁３１５が、コンテナ収容部１０９の左側部分に配置される。
【００６６】
プリンター１００は、更に、筐体１０１内に制御部５０および駆動部５２を備える（図３（Ｂ））。
【００６７】
制御部５０は、駆動部５２を制御して、移動壁３４の移動および攪拌部材３２の回転を制御する。駆動部５２は、移動壁３４の移動および攪拌部材３２の回転に要される駆動力を発生するモーターである。トナーコンテナ３０がコンテナ収容部１０９（図１）に装着されると、駆動部５２が、前述の回転ギア３８に連結される。この結果、駆動部５２が発生させた回転駆動力は、回転ギア３８からシャフト３３に伝達される。この結果、図５の雄螺旋部３３３と雌螺旋部３４０Ｄとの係合（噛み合い）によって、移動壁３４がシャフト３３に沿って第１方向（図５の矢印ＤＡ）に沿って移動される。また、収容空間３１Ｓにおいて、攪拌部材３２がシャフト３３とともに回転する。
【００６８】
トナーコンテナ３０がコンテナ収容部１０９に装着されると、ユーザーによって、または、不図示の開閉機構によって、シャッターがスライド移動され、トナー排出口３１９が開放される。この結果、トナー排出口３１９がトナー補給口２５の上方に対向して配置される。なお、トナー排出口３１９とトナー補給口２５との間には不図示の隔壁が配置されており、トナー排出口３１９から落下したトナーはすべてトナー補給口２５に流入する。
【００６９】
図７は、トナーコンテナ３０において移動壁３４が移動する様子を示す断面図（Ａ）、（Ｂ）および（Ｃ）である。図７（Ａ）は、移動壁３４が初期位置に配置された様子を示し、図７（Ｂ）は、移動壁３４が初期位置から第１方向に移動した様子を示している。また、図７（Ｃ）は、移動壁３４が最終位置に配置された様子を示している。図７（Ａ）に示すように、移動壁３４の初期位置は、トナー排出口３１９から右側に離間した位置であり、移動壁３４が蓋部３７に沿うように配置される。また、図７（Ｃ）に示すように、移動壁３４の最終位置は、トナー排出口３１９に対向するように配置されている。なお、他の実施形態において、移動壁３４がトナー排出口３１９の直前で停止するように、予め移動壁３１９の最終位置が設定されてもよい。
【００７０】
トナーコンテナ３０の製造時に収容空間３１Ｓにトナーが満充填された際でも、収容空間３１Ｓには僅かな空間が残されている。トナーコンテナ３０の使用が開始されるにあたり、収容空間３１Ｓに収容されたトナーに所定の流動性を付与するためには、上記の空間が必要とされる。
【００７１】
このため、新しいトナーコンテナ３０がプリンター１００に装着されると、プリンター１００に備えられた制御部５０（図３（Ｂ））は、駆動部５２を所定時間駆動させ、回転ギア３８を介してシャフト３３を回転駆動する。この結果、雄螺旋部３３３と雌螺旋部３４０Ｄとの係合によって、移動壁３４が第１方向に沿ってトナー排出口３１９に向かって移動する（図５の矢印ＤＡ参照）。
【００７２】
トナー排出口３１９からトナー補給口２５を介して現像装置２０にトナーが流入すると、トナーコンテナ３０の収容空間３１Ｓでは、トナーセンサー３１Ｔが対向する領域のトナーが消失するため、トナーセンサー３１ＴがＬＯＷ信号を出力する。該信号を受けて、制御部５０は、トナーセンサー３１ＴがＨＩＧＨ信号を出力するまで、駆動部５２を駆動させ、移動壁３４をトナー排出口３１９に向かって移動させる。
【００７３】
本実施形態では、シャフト３３の回転にともなって、収容空間３１Ｓの左端部に配置された攪拌ディスク３２がシャフト３３とともに回転する（図６（Ｂ）の矢印Ｄ７１）。特に、複数の攪拌羽根３２１（図６（Ａ））が回転することによって、トナー排出口３１９の周辺のトナーを積極的に攪拌することができる。この際、攪拌羽根３２１の回転によって、コンテナ本体３１の底部３１１の下端部に位置するトナーをトナー排出口３１９に向かって押し上げることができる。したがって、図５のように、コンテナ本体３１の下端部よりも上方にトナー排出口３１９が配置されている場合であっても、コンテナ本体３１の下端部周辺のトナーを効率的に排出することができる。このため、移動壁３４の搬送力のみによってトナーを排出する場合と比較して、トナー排出口３１９周辺でトナーが凝集（ロック）することが防止される。
【００７４】
トナーコンテナ３０の収容空間３１Ｓのトナーが使用され続けると、やがて移動壁３４は図７（Ｃ）に示す最終位置に至る。本実施形態に係るトナーコンテナ３０は、前述のように、移動壁停止部３３４（図５）を備えている。移動壁停止部３３４は、シャフト３３のうち雄螺旋部３３３が配置されていない領域であって、トナー排出口３１９に対向して配置されている。このため、移動壁３４が図７（Ｃ）の最終位置に到達する直前で、移動壁３４の雌螺旋部３４０Ｄ（図５）は、雄螺旋部３３３から脱離され、移動壁停止部３３４に対向して配置される。換言すれば、移動壁３４がひとたび図７（Ｃ）の最終位置に配置されると、雌螺旋部３４０Ｄと雄螺旋部３３３とが再び係合することが防止される。この結果、誤って回転ギア３８が逆回転された場合であっても、移動壁３４が蓋部３７側に向かって逆行することがない。
【００７５】
このように、移動壁３４が第１方向に沿って徐々に移動していくことで、収容空間３１Ｓのトナーが移動壁３４に押圧されながら、トナー排出口３１９まで搬送される。この際、移動壁３４がトナー排出口３１９に至るまでの間、収容空間３１Ｓが徐々に縮小されていく。したがって、トナーコンテナ３０の内部において、トナーが残留する空間自体が徐々に消失される。そして、図７（Ｃ）に示す最終位置では、移動壁３４が攪拌ディスク３２に当接し、収容空間３１Ｓがほぼ消失される。この結果、使用終了時に、コンテナ本体３１の収容空間３１Ｓに残留するトナー量が減少される。
【００７６】
移動壁３４がトナー排出口３１９に対向する最終位置に至ると、攪拌部材３２の弾性部３２２が移動壁３４の搬送面３４０Ｓに当接しながら、攪拌部材３２がシャフト３３の軸線回りに回転する。このため、搬送面３４０Ｓとディスク３２０との間に残った僅かなトナーは、攪拌羽根３２１の回転によってトナー排出口３１９から排出される。したがって、トナーコンテナ３０内のトナーを効率良く排出することができる。
【００７７】
更に、弾性部３２２は、搬送面３４０Ｓに撓みながら摺擦することで、搬送面３４０Ｓからトナーを拭うように回転される。このように、本実施形態では、移動壁３４の搬送面３４０Ｓに付着したトナーが攪拌部材３２の弾性部３２２によって掻き落とされる。したがって、トナーコンテナ３０の使用終了時に、コンテナ本体３１の収容空間３１Ｓに残留するトナーの量が減少され、最後まで有効にトナーを使用することができる。また、搬送面３４０Ｓ上に使用可能なトナー層が形成されているにも関わらず、トナーセンサー３１Ｔがトナーエンド情報を出力することが抑止される。
【００７８】
なお、弾性部３２２を含む攪拌羽根３２１が、攪拌部材３２の回転における径方向に沿って延びるように長手形状を備えている。このため、攪拌部材３２の弾性部３２２が、移動壁３４の搬送面３４０Ｓに接触する面積を増大することができる。また、攪拌羽根３２１が周方向に間隔をおいて複数配置されているため、移動壁３４の搬送面３４０Ｓに付着したトナーが、複数の攪拌羽根３２１の弾性部３２２によって安定して掻き落とされる。
【００７９】
以上、本発明の実施形態に係るトナーコンテナ３０およびこれを備えたプリンター１００について説明したが、本発明はこれに限定されるものではなく、例えば次のような変形実施形態を採用することができる。
【００８０】
（１）上記の実施形態では、プリンター１００としてモノクロプリンターをもって説明したが、本発明はこれに限定されるものではない。特に、プリンター１００がタンデム式のカラープリンターの場合には、プリンター１００の開閉カバー１００Ｃ（図１）が開放された後、複数色のトナーに対応してそれぞれのトナーコンテナ３０が上方から隣接するように筐体１０１に装着されてもよい。
【００８１】
（２）また、上記の実施形態では、トナーコンテナ３０が現像装置２０の長手方向に沿うようにプリンター１００に装着される態様にて説明したが、本発明はこれに限定されるものではない。トナーコンテナ３０は、現像装置２０の長手方向と交差する方向に沿って装着される態様でもよい。
【００８２】
（３）また、上記の実施形態では、攪拌部材３２が左壁３１５に沿って配置され、移動壁３４が蓋部３７側から左壁３１５側に向かって移動する態様にて説明したが、本発明はこれに限定されるものではない。他の変形実施形態において、攪拌部材３２が蓋部３７側に配置され、予め左壁３１５に沿った初期位置に配置された移動壁３４が蓋部３７側に移動する態様でもよい。この場合、トナー排出口３１９は、コンテナ本体３１のうちフランジ部３１６近傍に開口されればよい。
【００８３】
（４）また、上記の実施形態では、図６（Ａ）、（Ｂ）に示すように、複数の攪拌羽根３２１の先端にそれぞれ弾性部３２２が配置される態様にて説明したが、本発明はこれに限定されるものではない。図８は、本発明の変形実施形態に係る攪拌部材３２Ａの（Ａ）正面図および（Ｂ）側面図である。なお、本変形実施形態では、先の実施形態と比較して弾性部３２２の配置において相違するため、当該相違点のみ説明しその他の共通する点の説明を省略する。
【００８４】
図８（Ａ）、（Ｂ）に示すように、本変形実施形態では、攪拌部材３２Ａは、ディスク３２０から突設された攪拌羽根３２１、３２３を備える。なお、攪拌部材３２Ａは、図８（Ｂ）の矢印Ｄ７２方向に回転される。攪拌羽根３２１の先端には、弾性部３２２が備えられている。一方、攪拌羽根３２１以外の５枚の攪拌羽根３２３には、弾性部３２２が備えられていない。このような構成であっても、移動壁３４が最終位置（図７（Ｃ））に至ると、弾性部３２２が移動壁３４の搬送面３４０Ｓに付着したトナーを掻き取り、落下させることができる。
【００８５】
（５）また、上記の実施形態では、搬送面３４０Ｓがシャフト３３に対して垂直な平面部からなる態様にて説明したが、本発明はこれに限定されるものではない。図９は、本発明の他の変形実施形態に係る移動壁３４Ａの（Ａ）側面図および（Ｂ）底面図である。なお、本変形実施形態では、先の実施形態と比較して移動壁３４Ａが突起部３４５を備える点において相違するため、当該相違点のみ説明しその他の共通する点の説明を省略する。図９（Ａ）は、収容空間３１Ｓの攪拌部材３２（図５）側から移動壁３４Ａを見た図である。図９（Ｂ）は、図９（Ａ）の移動壁３４Ａを下から見た図である。
【００８６】
本変形実施形態では、移動壁３４Ａは、突起部３４５を備える。突起部３４５は、搬送面３４０Ｓから攪拌部材３２に向かって突設されている。特に、突起部３４５は、搬送面３４０Ｓにおいて攪拌部材３２の回転における径方向に沿って延びるように長手形状を備えている。そして、図９（Ａ）に示すように、突起部３４５は、搬送面３４０Ｓにおいて、軸受部３４０Ａからコンテナ本体３１の下端部に向かって鉛直方向に延びている。更に、図９（Ｂ）に示すように、突起部３４５は、断面視で直角三角形の形状を備え、攪拌部材３２の攪拌羽根３２１（図６（Ａ）、（Ｂ）参照）の回転方向（図９（Ａ）の矢印Ｄ９１、図９（Ｂ）の矢印Ｄ９２）に沿って先上がりの傾斜形状を備えている。
【００８７】
このような構成によれば、移動壁３４Ａが最終位置（図７（Ｃ））に至ると、攪拌部材３２の弾性部３２２が移動壁３４Ａの搬送面３４０Ｓおよび突起部３４５に順次当接しながら、攪拌部材３２が回転する。このため、弾性部３２２が突起部３４５の頂点から脱離される際に、弾性部３２２が弾かれる。この結果、弾性部３２２の弾性部３２２に付着したトナーが突起部３４５によって払い落とされる。したがって、トナーコンテナ３０の収容空間３１Ｓに残留するトナーの量が更に減少される。なお、突起部３４５の形状は、上記に限定されるものではない。突起部３４５は、攪拌部材３２の回転方向に沿って先下がりの傾斜形状を備えていてもよい。この場合、弾性部３２２が突起部３４５の頂点に当接する際に、突起部３４５が弾性部３２２に付着したトナーを掻き取る機能を備える。
【００８８】
また、図６（Ｂ）に示すように、径方向に長手形状を備えた弾性部３２２が、同様に長手形状を備える突起部３４５に接触することによって、弾性部３２２に付着したトナーが安定して払い落とされる。また、突起部３４５は、軸受部３４０Ａの下方において、鉛直方向に延びるように形成されている。このため、攪拌部材３２の弾性部３２２から払い落とされたトナーが収容空間３１Ｓ内で舞い上がることが抑止され、トナーがトナー排出口３１９（図５）から速やかに排出可能とされる。また、弾性部３２２から払い落とされたトナーが軸受部３４０Ａの内部に進入することが抑止される。
【符号の説明】
【００８９】
１００  プリンター（画像形成装置）
１００Ｖ  送受信部
１０１  筐体
１２１  感光体ドラム（像担持体）
１２６  転写ローラー
２０  現像装置
３０  トナーコンテナ（現像剤収容容器）
３０Ｖ  記憶部
３１  コンテナ本体（容器本体）
３１１  底部
３１２  天板
３１３  前壁
３１４  後壁
３１５  左壁（第１壁部）
３１９  トナー排出口（現像剤排出口）
３１Ｈ  内部空間
３１Ｋ  内周部
３１Ｓ  収容空間
３１Ｔ  トナーセンサー
３２  攪拌部材
３２０  ディスク（回転板）
３２１、３２３  攪拌羽根
３２２  弾性部
３３  シャフト
３４  移動壁
３４０Ａ  軸受部３４０Ａ
３４０Ｓ  搬送面
３４５  突起部
３７  蓋部（第２壁部）
５０  制御部
５２  駆動部
【図１】
0006398886.tif 000002
【図２】
0006398886.tif 000003
【図３】
0006398886.tif 000004
【図４】
0006398886.tif 000005
【図５】
0006398886.tif 000006
【図６】
0006398886.tif 000007
【図７】
0006398886.tif 000008
【図８】
0006398886.tif 000009
【図９】
0006398886.tif 000010